(57)【要約】【課題】サンバイザ本体に取り付けられたミラーの鏡面に荷重や衝撃等が作用した場合でも、そのミラーのサンバイザ本体からの脱落あるいはミラーの破損を防止する。【解決手段】車両用サンバイザ１は、サンバイザ本体２と、バニティミラー４とを備える。サンバイザ本体２の略中央部には、バニティミラー４を取り付けるための取付部８が段差状に設けられている。また、サンバイザ本体２には、取付部８よりも更に深くなるようにして落込部９が設けられている。バニティミラー４の鏡面側に所定以上の荷重Ｘが作用すると、バニティミラー４が保持クリップ１５から外れて落込部９に落ち込むように構成されている。保持クリップ１５には、バニティミラー４の鏡面側に所定以上の荷重Ｘが作用したときにそのバニティミラー４が外れるように破断あるいは変形が容易であるようにした切欠部２０が設けられている。【選択図】　　　図２
2004082802.tif 000002
【特許請求の範囲】
【請求項１】
サンバイザ本体にミラーが取り付けられた車両用サンバイザであって、
前記サンバイザ本体には、前記ミラーの裏面に対応する位置に該ミラーの厚み以上の深さを有する落込部が設けられており、前記ミラーは、前記落込部の底部との間に隙間を有した状態で保持手段により保持されており、
前記保持手段には、前記ミラーの鏡面側に所定以上の荷重が作用したときにそのミラーが外れるように破断あるいは変形が容易であるようにした脆弱部が設けられ、前記ミラーが前記保持手段から外れると前記落込部に落ち込むように構成されていることを特徴とする車両用サンバイザ。
【請求項２】
請求項１に記載の車両用サンバイザであって、
脆弱部は、保持手段に設けられた切欠部であることを特徴とする車両用サンバイザ。
【請求項３】
サンバイザ本体にミラーが取り付けられた車両用サンバイザであって、
前記サンバイザ本体には、前記ミラーの裏面に対応する位置に該ミラーの厚み以上の深さを有する落込部が設けられており、前記ミラーは、前記落込部の底部との間に隙間を有した状態で保持手段により保持されており、前記ミラーの鏡面側に所定以上の荷重が作用すると、前記ミラーが前記保持手段から外れて前記落込部に落ち込む構成とされており、
前記ミラーの裏面と前記落込部の底部との間には、前記ミラーの鏡面側に作用する荷重を吸収するクッション体が配設されていることを特徴とする車両用サンバイザ。
【請求項４】
サンバイザ本体にミラーが取り付けられた車両用サンバイザであって、
前記サンバイザ本体には、前記ミラーの裏面に対応する位置に該ミラーの厚み以上の深さを有する落込部が設けられており、前記ミラーは、前記落込部の底部との間に隙間を有した状態で保持手段により保持されており、前記ミラーの鏡面側に所定以上の荷重が作用すると、前記ミラーが前記保持手段から外れて前記落込部に落ち込む構成とされており、
前記ミラーの裏面には、該ミラーの剛性を向上させる補強板が固着されていることを特徴とする車両用サンバイザ。
【請求項５】
請求項４に記載の車両用サンバイザであって、
ミラーは、該ミラーの裏面に固着された補強板を介して保持手段により保持されていることを特徴とする車両用サンバイザ。
【請求項６】
請求項１から請求項５のうちいずれか１項に記載の車両用サンバイザであって、
保持手段は、ミラーを保持する保持クリップにより構成されており、
前記保持クリップと落込部の側壁部との間には、前記保持クリップから前記ミラーが外れるようにその保持クリップが前記ミラーの外縁部から離間する方向へ変形可能とするための所要の隙間が設けられていることを特徴とする車両用サンバイザ。
【発明の詳細な説明】
【０００１】
【発明の属する技術分野】
本発明は、ミラー付き車両用サンバイザに関する。
【０００２】
【従来の技術】
従来、遮光等を目的として車室内に設置される車両用サンバイザとして、種々の付属品（バニティミラー、カードホルダ等）が取り付けられた車両用サンバイザが知られている。その中でも、遮光部分となるサンバイザ本体にバニティミラーが取り付けられた車両用サンバイザとして、図１２に示すような車両用サンバイザ１００が知られている。
【０００３】
図１２に示す車両用サンバイザ１００は、一端部が車室天井面に接続された支軸１０１によって、サンバイザ本体１０２が回動可能に装着される。そして、サンバイザ本体１０２が支軸１０１の軸回りに回動操作されることで、フロントガラスに沿った遮光位置（図１２中のＡに示す位置）と、車室天井面に沿った格納位置（図１２中のＢに示す位置）とで配置切換がされるようになっている。
このような車両用サンバイザ１００は、サンバイザ本体１０２が遮光位置にまで降ろされたときに、バニティミラー１０３の鏡面が車室内側に指向するように配置される。前席に着座した乗員は、サンバイザ本体１０２を遮光位置まで降ろすことにより、自身の顔面等をバニティミラー１０３の鏡面に映し出すことができるようになっている。
【０００４】
【発明が解決しようとする課題】
ところで、上記した従来の車両用サンバイザ１００において、例えば事故時等に乗員の頭部がバニティミラー１０３の鏡面に不測に衝突した場合には、バニティミラー１０３サンバイザ本体１０２から脱落してしまうおそれがあるので問題であった。
【０００５】
本願発明はこのような問題に鑑みて創案されたものであり、サンバイザ本体に取り付けられたミラーの鏡面に荷重や衝撃等が作用した場合でも、そのミラーがサンバイザ本体から脱落するのを防止できる車両用サンバイザを提供することを課題とする。
【０００６】
【課題を解決するための手段】
前記課題を解決するために、特許請求の範囲の各請求項に記載した発明が構成される。
請求項１に記載の車両用サンバイザによれば、ミラーの鏡面側に所定以上の荷重が作用すると、そのミラーが保持手段から外れてサンバイザ本体に設けられた落込部に落ち込むようになっている。
したがって、例えば乗員の頭部等がミラーの鏡面側に不測に衝突した場合であっても、ミラーの鏡面が少なくともサンバイザ本体の表面よりも深い位置にまで落ち込むことになる。すると、ミラーの鏡面に作用する荷重や衝撃等が緩衝されるとともに、サンバイザ本体に取り付けられたミラーの脱落が有効に防止される。
また、請求項１に記載の車両用サンバイザによれば、ミラーの鏡面側に所定以上の荷重が作用すると、そのミラーを保持する保持手段が脆弱部において破断あるいは変形し易いようになっている。これにより、保持手段からミラーが外れる際の荷重の大きさを任意に設定することが可能であり、ミラーの鏡面に作用する荷重や衝撃等を確実に緩衝することができる。
【０００７】
請求項２に記載の発明によれば、脆弱部は、保持手段に設けられた切欠部である車両用サンバイザが構成される。
したがって、切欠部の位置、深さ、角度等を調整することによって、保持手段からミラーが外れる際の荷重の大きさをより柔軟に設定することが可能となる。
【０００８】
請求項３に記載の車両用サンバイザによれば、ミラーの鏡面側に所定以上の荷重が作用すると、そのミラーが保持手段から外れてサンバイザ本体に設けられた落込部に落ち込むようになっている。また、前記ミラーの裏面と前記落込部の底部との間には、前記ミラーの鏡面側に作用する荷重を吸収するクッション体が配設されている。
したがって、例えば乗員の頭部等がミラーの鏡面側に不測に衝突した場合であっても、ミラーの鏡面が少なくともサンバイザ本体の表面よりも深い位置にまで落ち込むことになり、さらに、そのミラーの鏡面側に作用する荷重や衝撃等がクッション体によって速やかに吸収されるので、サンバイザ本体に取り付けられたミラーの脱落がより有効に防止される。
【０００９】
請求項４に記載の車両用サンバイザによれば、ミラーの鏡面側に所定以上の荷重が作用すると、そのミラーが保持手段から外れてサンバイザ本体に設けられた落込部に落ち込むようになっている。また、前記ミラーの裏面には、該ミラーの剛性を向上させるため、例えば鉄またはアルミニウム等の金属板、あるいは、ポリプロピレン，ポリエチレン，ポリエチレンテレフタレート等の合成樹脂により形成された補強板が固着されている。
したがって、例えば乗員の頭部等がミラーの鏡面側に不測に衝突した場合であっても、ミラーの鏡面が少なくともサンバイザ本体の表面よりも深い位置にまで落ち込むことになる。これにより、ミラーの鏡面に作用する荷重や衝撃等が緩衝されてサンバイザ本体からの脱落が有効に防止されるとともに、金属あるいは合成樹脂等により形成された補強板によってそのミラーの破損等が有効に防止される。
【００１０】
請求項５に記載の車両用サンバイザによれば、ミラーは、該ミラーの裏面に固着された補強板を介して保持手段により保持される。したがって、ミラーを保持手段により直接的に保持するよりも該ミラーの破損等が有効に防止される。
【００１１】
請求項６に記載の車両用サンバイザによれば、保持手段は、ミラーを保持する保持クリップにより構成されており、前記保持クリップと落込部の側壁部との間には、前記保持クリップから前記ミラーが外れるようにその保持クリップが前記ミラーの外縁部から離間する方向へ変形可能とするための所要の隙間が設けられる。これにより、ミラーの鏡面側に荷重や衝撃等が作用した際に、保持クリップが容易に変形してミラーが円滑に外れるようになっており、サンバイザ本体からのミラーの脱落や破損等をより効果的に防止することができる。
【００１２】
【発明の実施の形態】
以下、本発明の実施の形態を図面を参照しながら説明する。
図１は、本発明の実施の形態における車両用サンバイザ１の概略構成を示す斜視図である。
図１に示すように、車両用サンバイザ１は、車室内に差し込む日光等を遮るための部分であるサンバイザ本体２と、略Ｌ字型でかつ棒状に形成された支軸３と、サンバイザ本体２の表面略中央部付近に取り付けられるバニティミラー４（ミラー）とを備えている。
支軸３は、縦軸部３ａと横軸部３ｂとを備え、その縦軸部３ａの一端がブラケット１１を介して車室天井部の所定箇所に取り付けられ、その横軸部３ｂの一端がサンバイザ本体２に内設された金属製の軸受部材５の軸受孔に回動可能に挿入される。これにより、サンバイザ本体２は支軸３を介して車室天井部に連結され、このサンバイザ本体２が横軸部３ｂの軸周りに回動操作されることにより、車室天井面に沿う格納位置と、フロントガラスに沿う遮光位置との間で配置切換が行なわれるようになっている。また、サンバイザ本体２の左端側の上部にはサポート軸１２が設けられており、このサポート軸１２が車室内の所要箇所に設けられた掛止フックに回動可能な状態で掛け止めされるようになっている。
【００１３】
図２は、バニティミラー４を取り付ける前の状態におけるサンバイザ本体２の斜視図である。ただし、図２では、サンバイザ本体２及びそのサンバイザ本体２の外表面に被覆される表皮材６の一部を破断した状態を示している。
図２に示すように、サンバイザ本体２は、例えばポリプロピレン等の熱可塑性合成樹脂のブロー成形により中空状に形成されたものであり、その外表面には表皮材６が被覆されている。表皮材６は、例えば、塩化ビニル、織布、不織布、レザー等の伸縮性を有するシート状の部材が袋状に形成されたものであり、サンバイザ本体２の外表面全体に密着状に被覆されている。
【００１４】
図３は、バニティミラー４を裏面側から見た斜視図である。このバニティミラー４は、運転席や助手席に着座した乗員等が例えば化粧用鏡として使用するために、サンバイザ本体２の略中央部に対して取り付けられるものである。バニティミラー４の裏面側には、このバニティミラー４が万一破損した場合に破片が飛散するのを防止するための粘着テープ（図示していない）が貼着されている。
図３に示すように、バニティミラー４は、熱可塑性合成樹脂の射出成形により方形枠状に形成された外枠体７を介してサンバイザ本体２に取り付けられる。この外枠体７は、バニティミラー４をサンバイザ本体２に取り付けるための役割を果たすとともに、バニティミラー４の外周を縁取ることで意匠的な効果を得るための装飾部材としての役割をも果たしている。
外枠体７の裏面側には、複数個の係止クリップ１３が一体状に設けられている。また、外枠体７の裏面側には、この係止クリップ１３以外にも、外枠体７の裏面にバニティミラー４を保持しておくための複数個の保持クリップ１５と、保持クリップ１５によって保持されたバニティミラー４の上下への移動を規制するための板状片である複数個のストッパ片１６とが設けられている。保持クリップ１５が、本発明における「保持手段」に対応している。
また、バニティミラー４の裏面には、このバニティミラー４の大きさよりも若干小さく形成された熱可塑性合成樹脂製（ポリプロピレン等）の補強板１７が接着剤により固着されている。
【００１５】
図４は、図１に示す車両用サンバイザ１のＡ−Ａ線断面図であり、図５は、図１に示す車両用サンバイザ１のＢ−Ｂ線断面図である。
図２、図４及び図５に示すように、サンバイザ本体２の表面（遮光位置に配置したサンバイザ本体２の車室内側に指向する側の面）の略中央部には、バニティミラー４をサンバイザ本体２に対して取り付けるための取付部８が段差状に凹設されている。この取付部８には、外枠体７の下面に設けられた複数個の係止クリップ１３を挿入するための係止孔１４が設けられている。そして、係止クリップ１３がこの係止孔１４に挿入されてその孔縁部に弾性的に係止することによって、外枠体７が凹状の取付部８に嵌め込まれるようにしてバニティミラー４の取り付けが行なわれるようになっている。
【００１６】
また、図２、図４及び図５に示すように、サンバイザ本体２の表面には、取付部８よりも更に深くなるようにして落込部９が段差状に凹設されている。この落込部９は、その深さＤ（バニティミラー４の下面から落込部９の底部までの深さＤ）がバニティミラー４の厚みＴ以上となるようにしてサンバイザ本体２の表面に対して凹状に設けられている。これにより、取付部８に外枠体７が取り付けられると、バニティミラー４の裏面側には深さＤを有する落込空間１８（隙間）が形成される。
なお、落込部９は、保持クリップ１５の下面から該落込部９の底部までの深さがバニティミラー４の厚みＴ以上となるようにして設けられてもよい。この場合には、保持クリップ１５の下面側に厚みＴ以上の深さを有する落込空間１８が形成される。
【００１７】
落込空間１８が形成された状態において、バニティミラー４の鏡面に対して所定以上の大きさの荷重Ｘが作用すると、図５に示すように、外枠体７の裏面に設けられた複数個の保持クリップ１５からバニティミラー４が外れて脱落し、バニティミラー４は落込部９の底部にまで落ち込むことになる。これにより、バニティミラー４の鏡面側に作用する衝撃や荷重が緩衝されるとともに、バニティミラー４のサンバイザ本体２からの脱落が有効に防止される。
なお、図５に示すように、保持クリップ１５と落込部９の側壁部との間には所要の隙間Ｃが確保されており、バニティミラー４の鏡面側に荷重Ｘが作用すると、この隙間Ｃを利用して保持クリップ１５がバニティミラー４の外縁部から離間する方向に広がるように変形し、これによってバニティミラー４が保持クリップ１５から比較的容易に外れるようになっている。
【００１８】
バニティミラー４を保持するための保持クリップ１５は、乗員がバニティミラー４の鏡面を布で拭いたりする程度の荷重では変形しないけれども、バニティミラー４が破壊され得るような所定以上の荷重Ｘが作用したときには弾性的に変形してバニティミラー４の外縁部から外れる程度の所要の弾性を有する合成樹脂材料により形成されるのが好ましい。なお、ここでいう「荷重Ｘ」には、ミラーの鏡面にゆっくりと作用する静的な荷重だけでなく、例えば衝撃等のように瞬間的に作用する動的な荷重をも含む。乗員がバニティミラー４の鏡面を布で拭いたりする荷重は、およそ６〜７ｋｇｆ／ｃｍ２程度であることが確認されている。バニティミラー４が破壊され得る荷重は、およそ１４０〜１５０ｋｇｆ／ｃｍ２程度であることが確認されている。
【００１９】
前述したように、バニティミラー４の裏面には、例えばポリプロピレンやポリカーボネイト等の熱可塑性合成樹脂で形成された補強板１７が接着剤により固着されている。これにより、バニティミラー４の破損自体が有効に防止されるだけでなく、仮にバニティミラー４が破損した場合であっても、そのバニティミラー４の破片が補強板１７によって保持されるので車室内への脱落等が有効に防止される。なお、補強板１７は、荷重や衝撃等が作用したときにバニティミラー４に固着したまま破損して複数の破片とならないように、バニティミラー４に作用した荷重に追従して柔軟に変形することのできる材料により形成されるのが好ましい。
【００２０】
図６は、図１に示す車両用サンバイザ１のＢ−Ｂ線断面図であり、バニティミラー４が落込部９の底部にまで落ち込んだ状態を示している。
図６に示すように、落込部９の底部にまでバニティミラー４が落ち込んだ後は、仮に乗員の頭部等が車両用サンバイザ１に再び衝突した場合であっても、その乗員の頭部がバニティミラー４の鏡面に到達することが防止される。
このとき、落込部９の深さＤは、直径１６５ｍｍの球体Ｓを外枠体７に接触するまで近接させたときに、その球体Ｓの表面と、落ち込んだ後のバニティミラー４の鏡面とが接触しない程度の深さに設定されるのが好ましい。直径１６５ｍｍの球体Ｓというのは、人間の頭部の模擬形状として使われるものである。この球体Ｓとバニティミラー４の鏡面とが接触しないということは、乗員の頭部がバニティミラー４の鏡面へ到達しないということであり、乗員の頭部をより確実に保護することができる。
【００２１】
本発明の車両用サンバイザ１は、図７に示すようにして実施することもできる。
図７は、図１における車両用サンバイザ１のＢ−Ｂ線断面図であり、バニティミラー４の裏面と落込部９の底部との隙間である落込空間１８にクッション体３０を配設した実施例を示している。このクッション体３０は、例えば発泡ウレタンやポリエチレンフォーム等の合成樹脂発泡体により略直方体形状に形成されたものであり、バニティミラー４に作用した荷重Ｘを体積変化により吸収する役割を果たす。
落込空間１８にクッション体３０が配設された状態において、バニティミラー４の鏡面側に所定以上の荷重Ｘが作用した場合には、バニティミラー４が保持クリップ１５から外れて落込部９に向けて落ち込むことになる。このとき、バニティミラー４に作用した荷重や衝撃はクッション体３０によって速やかに吸収されるので、バニティミラー４の破損や脱落等が有効に防止される。
なお、クッション体３０には、合成樹脂発泡体以外にも、例えば軟らかいシリコンゴムや木綿のような繊維の集合体等、その他の衝撃吸収体を採用することもできる。
【００２２】
また、本発明の車両用サンバイザ１は、図８及び図９に示すようにして実施することもできる。
図８及び図９は、図１に示す車両用サンバイザ１のＢ−Ｂ線断面図であり、保持クリップ１５に切欠部２０が設けられた実施例を示している。この切欠部２０は、外枠体７の下面から延出して形成された合成樹脂製の保持クリップ１５の一部をカッター等の切断具により略Ｖ字型に切り欠いた部分であり、本発明における「脆弱部」に対応する部分である。なお、図８及び図９では、外枠体７とバニティミラー４と補強板１７以外の部分を省略して表している。
図８（ａ）に示すように、切欠部２０が、外枠体７の下面に対する保持クリップ１５の付け根付近の位置に形成された場合には、バニティミラー４の鏡面側に所定以上の荷重Ｘが作用すると、その保持クリップ１５が外枠体７との付け根付近を中心として外側に広がるようにして変形する。これにより、図８（ｂ）に示すように、バニティミラー４に比較的小さな荷重Ｘが作用した場合であっても、そのバニティミラー４が保持クリップ１５から容易に外れることになる。バニティミラー４が保持クリップ１５から外れると、バニティミラー４は落込部９の底部にまで落ち込むことになり、これによってバニティミラー４に作用する荷重や衝撃等がより確実に緩衝される。
【００２３】
図９（ａ）に示すように、切欠部２０が、保持クリップ１５の下端に設けられてバニティミラー４を直接的に保持する爪部２１付近に形成された場合には、バニティミラー４の鏡面側に所定以上の荷重Ｘが作用すると、保持クリップ１５が切欠部２０付近においてちぎれるようして破断する。これにより、図９（ｂ）に示すように、バニティミラー４に比較的小さな荷重Ｘが作用した場合であっても、そのバニティミラー４は保持クリップ１５から容易に外れることになる。バニティミラー４が保持クリップ１５から外れると、バニティミラー４は落込部９の底部にまで落ち込むことになり、これによってバニティミラー４に作用する荷重や衝撃等がより確実に緩衝される。
【００２４】
このように、保持クリップ１５に切欠部２０を設けることにより、バニティミラー４が保持クリップ１５から外れる際の荷重Ｘの大きさを任意に設定することができる。さらに、切欠部２０の位置、深さ、角度等を調整すれば、バニティミラー４が外れる際の荷重Ｘの大きさをより柔軟に設定することも可能である。
例えば、バニティミラー４がより小さい荷重Ｘによって保持クリップ１５から外れるようにしたい場合には、切欠部２０をより深く形成して保持クリップ１５が容易に破断あるいは変形するようにすればよい。反対に、バニティミラー４がより大きい荷重Ｘによって保持クリップ１５から外れるようにしたい場合には、切欠部２０を保持クリップ１５の厚肉部分に設けたり、あるいは、切欠部２０をより浅く形成して保持クリップ１５が容易に破断あるいは変形しないようにすればよい。
なお、バニティミラー４が保持クリップ１５から外れるようにするための「脆弱部」は、切欠部２０以外の態様によって実現することも可能である。例えば、保持クリップ１５を射出成形等する際に予め薄肉で変形しやすい部分を設けたり、あるいは、保持クリップ１５の一部を軟らかい材料や脆い材料により形成して変形あるいは破断が容易であるようにしてもよい。
【００２５】
さらに、本発明の車両用サンバイザ１は、図１０及び図１１に示すようにして実施することもできる。
図１０は、バニティミラー４を裏面から見た斜視図であり、バニティミラー４が補強板１７を介して保持クリップ１５により保持された実施例を示している。また、図１１は、図１０におけるバニティミラー４の横断面図である。
図１０及び図１１に示すように、バニティミラー４の裏面には、このバニティミラー４よりも若干大きく形成された熱可塑性合成樹脂性の補強板１７が固着されている。そして、この補強板１７の外縁部が保持クリップ１５の爪部２１によって挟持され、この補強板１７が保持クリップ１５によって保持されることで、バニティミラー４が落込部９の底部との間に隙間を有した状態で間接的に保持されている。バニティミラー４の鏡面側に所定以上の荷重Ｘが作用すると、補強板１７の外縁部付近が屈曲部２２において上側に屈曲し、これにより、補強板１７が保持クリップ１５から外れて落込部９の底部に向けて落ち込むことになる。すると、バニティミラー４のサンバイザ本体２からの脱落が防止されるとともに、バニティミラー４に作用した荷重や衝撃が緩衝されて該バニティミラー４の破損等が有効に防止される。
このように、バニティミラー４を保持する保持クリップ１５は、別部材である補強板１７を間に介して該バニティミラー４を間接的に保持するようにしてもよい。そうすれば、荷重Ｘに抗するための保持クリップ１５からの反力がバニティミラー４に対して直接的に作用しないので、バニティミラー４の破損がより有効に防止される。
なお、図１０及び図１１に示す上記実施例では、補強板１７が屈曲部２２において上側に屈曲して保持クリップ１５から外れる例を示したが、保持クリップ１５が破断あるいは変形して該保持クリップ１５から補強板１７が外れるように構成してもよい。その場合、保持クリップ１５に対して前記切欠部２０を形成してもよい。
【００２６】
なお、本発明は上記実施の形態に限定されるものではなく、その要旨を逸脱しない範囲内で適宜変更することが可能である。
例えば、上記実施の形態では、サンバイザ本体２が熱可塑性合成樹脂のブロー成形により成形されるものである例を示したが、その他の成形法、例えば、熱可塑性合成樹脂のビーズ発泡成形、射出成形等によりサンバイザ本体２を成形した場合であっても、上記実施の形態と同様の作用効果を得ることが可能である。
【００２７】
また、上記実施の形態では、外枠体７を介してバニティミラー４がサンバイザ本体２に取り付けられる例を示したが、外枠体７が無くても本発明を実施することができる。例えば、落込部９の側壁面に対して保持クリップ１５を一体状に設け、その保持クリップ１５によりバニティミラー４を保持するようにすれば、上記実施の形態と同様の作用効果を得ることができる。
【００２８】
また、上記実施の形態では、バニティミラー４の鏡面が主にガラスで構成される例を示したが、このような態様に限定するものではない。例えば、バニティミラー４の鏡面がポリカーボネイト等の透明合成樹脂材料で構成されるような場合であっても、上記実施の形態と同様な作用効果を達成することができる。
また、上記実施の形態では、サンバイザ本体２表面に表皮材６が被覆される例を示したが、表皮材６が被覆されていないサンバイザ本体に対しても本発明を適用できる。
また、上記実施の形態では、補強板１７が熱可塑性合成樹脂で形成される例を示したが、このような態様に限定するものではない。例えば、補強板１７が鉄やアルミニウム等の金属により形成される場合であっても本発明を適用することができる。
また、上記実施の形態では、バニティミラー４の裏面に補強板１７が接着剤により固着される例を示したが、このような態様に限定するものではない。例えば、バニティミラー４の裏面に、補強板１７を加熱溶着や両面粘着テープ等の他の手段により固着するようにしてもよい。
また、上記実施の形態では、バニティミラー４の裏面に補強板１７が固着される例を示したが、バニティミラー４の裏面に補強板１７が固着されていない場合であっても本発明を適用できる。
また、上記実施の形態では、落込空間１８にクッション体３０が配設される例を示したが、クッション体３０が配設されていない場合であっても本発明を適用できる。
また、例えば、バニティミラー４の鏡面を覆うためのスライド蓋やカバー等が取り付けられている場合であっても、本発明を同様に適用することができる。
【００２９】
また、上記実施の形態では、説明を分かり易くするために、補強板１７、クッション体３０、切欠部２０（脆弱部）を備えた車両用サンバイザ１をそれぞれ別の実施例を用いて説明したが、それらの一部又は全部を備えた車両用サンバイザ１を実施できることは勿論であり、この場合、バニティミラー４の脱落や破損等をより相乗的かつ効果的に防止することができる。
【００３０】
【発明の効果】
以上説明したように、本発明によれば、サンバイザ本体に取り付けられたミラーの鏡面に荷重や衝撃等が作用した場合でも、そのミラーのサンバイザ本体からの脱落を有効に防止することのできる車両用サンバイザを提供することができる。
【図面の簡単な説明】
【図１】本実施の形態における車両用サンバイザの概略構成を示す斜視図である。
【図２】バニティミラーを取り付ける前の状態におけるサンバイザ本体の斜視図である。
【図３】バニティミラーを裏面側から見た斜視図である。
【図４】図１に示す車両用サンバイザのＡ−Ａ線断面図である。
【図５】図１に示す車両用サンバイザのＢ−Ｂ線断面図である。
【図６】図１に示す車両用サンバイザのＢ−Ｂ線断面図であり、バニティミラーが落込部の底部にまで落ち込んだ状態を示している。
【図７】図１における車両用サンバイザのＢ−Ｂ線断面図であり、バニティミラーの裏面と落込部の底部との隙間である落込空間にクッション体を配設した実施例を示す図である。
【図８】図１における車両用サンバイザのＢ−Ｂ線断面図であり、保持クリップに切欠部が設けられた実施例を示している。
【図９】図１における車両用サンバイザ１のＢ−Ｂ線断面図であり、保持クリップに切欠部が設けられた実施例を示している。
【図１０】バニティミラーを裏面から見た斜視図であり、バニティミラーが補強板を介して保持クリップにより保持された実施例を示している。
【図１１】図１０におけるバニティミラーの横断面図である。
【図１２】従来の車両用サンバイザを示す斜視図である。
【符号の説明】
１　　　　車両用サンバイザ
２　　　　サンバイザ本体
４　　　　バニティミラー（ミラー）
６　　　　表皮材
７　　　　外枠体
８　　　　取付部
９　　　　落込部
１５　　保持クリップ（保持手段）
１８　　落込空間（隙間）
２０　　切欠部（脆弱部）
２１　　爪部
３０　　クッション体
【図１】
2004082802.tif 000003
【図２】
2004082802.tif 000004
【図３】
2004082802.tif 000005
【図４】
2004082802.tif 000006
【図５】
2004082802.tif 000007
【図６】
2004082802.tif 000008
【図７】
2004082802.tif 000009
【図８】
2004082802.tif 000010
【図９】
2004082802.tif 000011
【図１０】
2004082802.tif 000012
【図１１】
2004082802.tif 000013
【図１２】
2004082802.tif 000014